(57)【要約】【課題】  既設杭の引抜きに対して、手間もとらず、安価に、しかも短い時間で深く打込まれている既設杭を引抜く工法を提供する。【解決手段】  羽根付きケーシングを使用することを要旨とし、引抜き対象となる杭より大径のケーシングを杭の外側から進入し、穴を形成して杭を引抜く工法である。無騒音、無振動、排土処理も簡単で工期も短く効率的である。【選択図】  図１
2007138544.tif 000002
【特許請求の範囲】
【請求項１】
引抜きの対象となる既設杭により大径の螺旋羽根付きのケーシングを用い、該ケーシング正回転させながら既設杭の周囲の地盤に進入させて穴を形成し、杭底に達した後、螺旋羽根付きケーシングを逆回転させながら既設杭を穴内に残して引き上げ、この後杭を引き上げることを特徴とした既設杭の引抜き工法。
【請求項２】
ケーシング先端内壁に既設杭との位置決め用およびケーシング引き上げの際に杭の土落し用の凸片を設けることを特徴とした請求項１に記載の既設杭の引抜き工法。
【発明の詳細な説明】
【技術分野】
【０００１】
本発明は、建築物の建て替え等によって上物を撤去した後、残った基礎杭を引抜く工法に関する。
【背景技術】
【０００２】
老朽化したビル等を建て替える際、上物を破壊して撤去し、後に残った基礎杭を引抜く場合、杭の種類や長さはさまざまであるが、これを引抜くには大変な手間を要している。したがってなるべく手間がかからず、安価で引抜くことが要望されて種々の工法が実施されている。
【特許文献１】特開２００４−３０８３３８号公報
【発明の開示】
【発明が解決しようとする課題】
【０００３】
一般には振動を加えながら埋設してある杭の側辺にパイプを挿入して圧力水を注入する方法、又は周囲に圧力空気を送りながら杭を抜く方法などが実施されているが、前者は注入する水量が多く、作業場が水浸しとなって泥状化して作業用の重機の進入が不可能となる欠点があり、さらに後者の場合には、杭の引抜きが不能のため杭を切断しながらの引抜きとなり、それぞれ作業を中断することとなり、工期が遅延するという結果が生じている。
【課題を解決するための手段】
【０００４】
発明者は、この点に鑑み鋭意研究を重ねた結果本発明工法に到達したものであって、本発明工法は、引抜く対象となる既設の杭より大径の螺旋羽根付きケーシングを使用し、この螺旋羽根付きのケーシングを正回転を加えて杭底まで進入させる。さらに、本発明工法に使用するケーシングは、最先端の内面に凸片（５）を設けるものとする。
【０００５】
このときケーシングは、先端の内側に設けた凸片（５）によって既設杭（１）との間隔位置を保ちながらの回転によって螺旋羽根が杭周囲の土を摺い上げて排土となって地上に排出され、ケーシングが杭底に到達したら、ケーシングを逆回転させて引き上げると杭の表面に付着している土はケーシング内側の凸片（５）によって掻き落される。そしてこの穴の中には周囲の土が落された杭が残され、穴壁はケーシングの羽根の逆回転の接触によって押圧され、その後杭を引抜くものである。
【発明の効果】
【０００６】
上述のように、本発明の既設杭の引抜き工法によるときは、引抜きの対象となる杭より大径の羽根付きケーシングを用い、このケーシングを正回転させてケーシングを杭に向って進入させることによって穴が形成され、杭が穴内に露現するため杭の引き上げが容易となり、また排土の処理も簡単で杭の引抜きの工期の短縮ができる。このため従来の既設杭の引抜き工法に比較して卓越した技術的な作用効果が得られる。
【発明を実施するための最良の形態】
【０００７】
添付図面により本発明工法の最良の形態を説明すると、図１は本発明工法のうち既設杭Ａを中に残して穴を成形するまでの本発明の請求項１に記載した工程図であって、図１のａ図作業開始を示す状態図、ｂ図は螺旋羽根付きケーシング（２）を既設杭（１）の杭頭に嵌合した状態図を示している。図ｃは羽根付きケーシング（２）が、既設杭（１）の杭底まで到達した状態を示す図であり、このとき既設杭（１）の周囲は図
示していないが、正回転によるケーシング（２）の螺旋羽根（２１）によって掘られた穴（３）が形成されている。図ｄは螺旋羽根付きケーシング（２）によって掘られた穴（３）の中に残された既設杭（１）の状態図である。また図ｅは既設杭（１）を引抜いた後の穴（３）を示している。この穴（３）の穴壁は逆回転するケーシングの羽根（２１）によって圧縮された状態となっている。この後穴（３）は埋められる。
【０００８】
図２は図１のｂ図で示す羽根付きケーシング（２）を既設杭（１）の杭頭に嵌合する作業開始の拡大説明図であって、符号（４）は土砂の浸入を防ぐためのスタンドパイプを示す。このような配置状態で螺旋羽根付きケーシング（２）を正回転させながら圧入して穴（３）を形成する。
【０００９】
図３は、本発明に使用する螺旋羽根付きケーシングの最端の断面図、即ち図示では図１（ｃ）図のＸ−Ｘ断面図であって、ケーシング（２）の内面に凸片（５）を設けた実施例図であって、この凸片（５）を設けることによって既設杭（１）と進入するケーシング（２）との間隙を保つため位置決めと、ケーシングを引き上げる際に、杭（１）に付着している土を掻き落す役目をする。
【実施例】
【００１０】
図２により本発明工法の実施例を説明する。図において（１）は埋入されている既設杭であって、この既設杭（１）は直径３５０ｍｍのコンクリート杭である。長さは７．５ｍ施工に当って、先ず杭頭に径７００ｍｍのスタンドパイプ（４）を埋設して掘り進む穴への土砂の落下を防止するための防護柵を作る。
【００１１】
（２）は羽根付きのケーシングであり、このケーシング（２）の径は、既設杭の径より大きい４５０ｍｍを用い、このケーシング（２）には羽根（２１）が螺旋状に設けてあって、この羽根の径は６５０ｍｍである。このような羽根付きケーシング（２）を杭の杭頭に嵌合セットして、上方の回転機を作動させてケーシング（２）を杭（１）に沿って回転とコンプレッサーでエアーを送りながら回転と掘搾で堀搾進入させる。このときの回転は正回転であって、螺旋羽根によって掘られた土は順次上方（穴の外）に排土される。
【００１２】
図１により工程を順に追って説明すると、ａ図は既設杭（１）の杭頭部分にスタンドパイプ（４）を配し、螺旋羽根付きケーシング（２）を位置させた施工前の実施例図を示す。ｂ図は羽根付きケーシング（２）を既設杭（１）の杭頭に嵌合した作業開始図で、この状態で羽根付きケーシング（２）を回転機（６）で正回転させ、排土を除去しながら（ｃ
図）に示すように杭底まで到達させる。
【００１３】
ｃ図のように羽根付きケーシング（２）が杭底に到達したら今度は回転を逆回転としてケーシング（２）を引抜く、この際すでに形成されている穴（３）の壁は回転する羽根によって押圧され、ｄ図に示されるように穴（３）内には杭（１）が残され、この残された杭（１）は通常は泥だらけであるが、本発明工法の場合は、ケーシング引き上げの際、凸片（５）の回転による摺動作用によって掻き落されて元のコンクリートの肌が現われている。しかる後に杭を引き上げる。その後、図示していないが、いくつかの残土処理の工程を経てｅ図のような穴（３）が形成され埋土されて元の地形に戻る。
【産業上の利用可能性】
【００１４】
本発明の既設杭の引抜き工法は、螺旋羽根付きのケーシングを使用することによって、従来の工法に比較して安価でしかも施工期間も短期間で終了するため、この作業には画期的な作用効果を奏するため本発明の利用度は大きい。
【図面の簡単な説明】
【００１５】
【図１】本発明工法の工程説明図
【図２】要部の実施例図
【図３】ケーシング先端部Ｘ−Ｘ断面図
【符号の説明】
【００１６】
１  既設杭
２  羽根付ケーシング
２１  羽根
３  穴
４  スタンドパイプ
５  ケーシング先端の凸片
６  回転機（オーガー）
【図１】
2007138544.tif 000003
【図２】
2007138544.tif 000004
【図３】
2007138544.tif 000005